(57)【特許請求の範囲】
【請求項１】
操作者による少なくとも第１の接触及び前記第１の接触に続く第２の接触の接触位置を同時に検出する接触検出部と、
前記接触検出部により前記第１の接触の接触位置が検出された場合に、第１グループの入力候補を含む映像情報を生成し、前記接触検出部により前記第２の接触の接触位置が検出された場合に、前記第１グループの入力候補において前記第１の接触の接触位置により選択されている入力候補に従属する第２グループの入力候補を含む映像情報を生成する映像情報生成部と
を備えることを特徴とする入力装置。
【請求項２】
前記第２グループの入力候補は、前記第２の接触の接触位置により選択されることを特徴とする請求項１記載の入力装置。
【請求項３】
前記映像情報生成部は、前記第１グループの入力候補の並び方向に前記第１の接触の接触位置が移動した場合には、前記第１グループの入力候補において選択される入力候補を変更した映像情報を生成し、前記第２グループの入力候補の並び方向に前記第２の接触の接触位置が移動した場合には、前記第２グループの入力候補において選択される入力候補を変更した映像情報を生成することを特徴とする請求項２記載の入力装置。
【請求項４】
前記第１グループの入力候補の並び方向と、前記第２グループの入力候補の並び方向とは、同一であることを特徴とする請求項３記載の入力装置。
【請求項５】
前記映像情報生成部は、前記第１の接触の接触位置に対応した位置に前記第１グループの入力候補を配置し、前記第２の接触の接触位置に対応した位置に前記第２グループの入力候補を配置した映像情報を生成することを特徴とする請求項１〜請求項４の何れか一項に記載の入力装置。
【請求項６】
前記映像情報生成部は、前記第１グループの入力候補と前記第２グループの入力候補の相対的な配置が常に等しい映像情報を生成することを特徴とする請求項１〜請求項４の何れか一項に記載の入力装置。
【請求項７】
前記映像情報生成部は、前記接触検出部により前記第２の接触の接触位置が検出されなくなった場合にも、前記第２グループの入力候補を含む映像情報を生成することを特徴とする請求項１〜請求項６の何れか一項に記載の入力装置。
【請求項８】
前記接触検出部による、前記第１の接触の接触位置及び前記第２の接触の接触位置の検出されなくなってからの時間を計測する計測部を備え、
前記計測部により所定時間が計測されたときに、前記第１の接触の接触位置及び前記第２の接触の接触位置により選択されていた入力候補を入力対象として確定することを特徴とする請求項１〜請求項７の何れか一項に記載の入力装置。
【請求項９】
前記接触検出部により、前記第２の接触に続く第３の接触の接触位置が検出されたときに、前記第１の接触の接触位置及び前記第２の接触の接触位置により選択されていた入力候補が入力対象として確定されることを特徴とする請求項１〜請求項７の何れか一項に記載の入力装置。
【請求項１０】
前記接触検出部により、前記第１の接触の接触位置を検出した後に、前記第２の接触の接触位置を検出する前に、前記第１の接触の接触位置が検出されなくなった場合には、入力対象の確定が行われないことを特徴とする請求項１〜請求項９の何れか一項に記載の入力装置。
【請求項１１】
入力検出部を更に備え、
前記入力検出部により入力が検出された場合に、前記第１グループの入力候補及び前記第２グループの入力候補の選択により入力される入力対象を、他の種類の入力対象に変更することを特徴とする請求項１〜請求項１０の何れか一項に記載の入力装置。
【請求項１２】
前記接触検出部により、前記第２の接触に続く第３の接触の接触位置が検出されたときに、前記第１グループの入力候補及び前記第２グループの入力候補の選択により入力される入力対象を、他の種類の入力対象に変更することを特徴とする請求項１〜請求項８の何れか一項に記載の入力装置。
【請求項１３】
前記映像情報生成部により生成された映像情報を表示する表示部を備えることを特徴とする請求項１〜請求項１２の何れか一項に記載の入力装置。
【請求項１４】
前記第１グループの入力候補は文字の一覧であり、前記第２グループの入力候補は、前記第１グループの文字の一覧から前記第１の接触の接触位置により選択されている文字に従属する文字の一覧であることを特徴とする請求項１〜請求項１３の何れか一項に記載の入力装置。
【請求項１５】
第１接触位置と第２接触位置とを検出する検出部と、
前記検出部により前記第１接触位置が検出された場合、第１入力候補を含む映像を表示部に表示させ、前記第１接触位置と前記第２接触位置とが前記検出部によって検出された場合、前記第１入力候補のうち、前記第１接触位置に対応する入力候補に従属する第２入力候補を含む映像を表示部に表示させる制御部と
を備えることを特徴とする入力装置。
【請求項１６】
前記制御部は、前記第１接触位置に対応した位置に前記第１入力候補を含む映像を前記表示部に表示させ、前記第２接触位置に対応した位置に前記第２入力候補を含む前記映像を前記表示部に表示させることを特徴とする請求項１５記載の入力装置。
【請求項１７】
前記制御部によって前記第１入力候補を含む映像と前記第２入力候補を含む映像とを表示する表示部を備えることを特徴とする請求項１５または請求項１６記載の入力装置。
【発明の詳細な説明】
【技術分野】
【０００１】
本発明は、入力装置に関するものである。
【背景技術】
【０００２】
従来、タッチパネルに対する操作者の接触による入力操作により文字を入力する文字データ入力装置が存在する（例えば、特許文献１参照）。
【先行技術文献】
【特許文献】
【０００３】
【特許文献１】特開２００８−１５２４４１号公報
【発明の概要】
【発明が解決しようとする課題】
【０００４】
しかしながら、上述の文字データ入力装置においては、１つの文字を入力する際に少なくとも２回の入力操作を必要とするため、多くの文字を入力する場合には入力操作が煩雑になり、効率良く入力操作を行うことができなかった。
【０００５】
本発明の目的は、入力対象の入力を行う際に効率良く入力操作を行うことができる入力装置を提供することである。
【課題を解決するための手段】
【０００６】
本発明の入力装置は、操作者による少なくとも第１の接触及び前記第１の接触に続く第２の接触の接触位置を同時に検出する接触検出部と、前記接触検出部により前記第１の接触の接触位置が検出された場合に、第１グループの入力候補を含む映像情報を生成し、前記接触検出部により前記第２の接触の接触位置が検出された場合に、前記第１グループの入力候補において前記第１の接触の接触位置により選択されている入力候補に従属する第２グループの入力候補を含む映像情報を生成する映像情報生成部とを備えることを特徴とする。
【０００７】
また、本発明の入力装置は、第１接触位置と第２接触位置とを検出する検出部と、前記検出部により前記第１接触位置が検出された場合、第１入力候補を含む映像を表示部に表示させ、前記第１接触位置と前記第２接触位置とが前記検出部によって検出された場合、前記第１入力候補のうち、前記第１接触位置に対応する入力候補に従属する第２入力候補を含む映像を表示部に表示させる制御部とを備えることを特徴とする。
【発明の効果】
【０００８】
本発明によれば、入力対象の入力を行う際に効率良く入力操作を行うことができる。
【図面の簡単な説明】
【０００９】
【図１】第１の実施の形態に係るＰＤＡのシステム構成を示すブロック図である。
【図２】第１の実施の形態に係るＰＤＡにおける文字入力処理を示すフローチャートである。
【図３】第１の実施の形態に係るＬＣＤ表示部における表示状態を示す図である。
【図４】第１の実施の形態に係るＬＣＤ表示部における表示状態を示す図である。
【図５】第１の実施の形態に係るＬＣＤ表示部における表示状態を示す図である。
【図６】第１の実施の形態に係るＬＣＤ表示部における表示状態を示す図である。
【図７】第１の実施の形態に係るＬＣＤ表示部における表示状態を示す図である。
【図８】第１の実施の形態に係るＬＣＤ表示部における表示状態を示す図である。
【図９】第１の実施の形態に係るＬＣＤ表示部における表示状態を示す図である。
【図１０】第１の実施の形態に係るＬＣＤ表示部における表示状態を示す図である。
【図１１】第２の実施の形態に係るＨＭＤの外観を示す斜視図である。
【図１２】第２の実施の形態に係るＨＭＤのシステム構成を示すブロック図である。
【発明を実施するための形態】
【００１０】
以下、図面を参照して、本発明の第１の実施の形態に係る入力装置についてＰＤＡ（Ｐｅｒｓｏｎａｌ  Ｄａｔａ  Ａｓｓｉｓｔａｎｔ）を例に説明する。図１は、第１の実施の形態に係るＰＤＡのシステム構成を示すブロック図である。図１に示すように、ＰＤＡ２は、ＰＤＡ２の各部を統括的に制御するコントローラ４を備えている。コントローラ４には、データ処理を行う際にワークエリアとして用いられるメモリ８、プログラム、映像情報、設定情報等を記憶するフラッシュメモリ１０、ＬＣＤ表示部６の駆動を行うＬＣＤドライバ１２、透明電極により構成されＬＣＤ表示部６に重ねて配置されてＬＣＤ表示部６に表示された情報に対する入力操作を検出するタッチパネル１４、ＬＣＤ表示部６を背面から照明するバックライト２０を駆動するバックライトドライバ１８、文字入力の確定やエラー等を報知するための音声を出力するスピーカ２２、時間を計測する計測部（図示せず）及び図示しない操作部が接続されている。ここで、操作部は、ＰＤＡ２の電源をオン／オフする電源スイッチ、メニューボタン、入力文字の種類を切替える切替ボタン等を含んでいる。また、タッチパネル１４は、操作者による少なくとも２点の接触の接触位置を同時に検出することが可能に構成されている。
【００１１】
次に、図２に示すフローチャートを参照して、本発明の第１の実施の形態に係るＰＤＡにおける文字入力処理について説明する。先ず操作者が操作部の電源スイッチをオンにすると、コントローラ４が起動し、コントローラ４はＬＣＤ表示部６にメニュー画面の映像を表示する。この状態において、タッチパネル１４において、メニュー画面に表示される「文字入力モードボタン」に対する操作者の接触が検出されると文字入力モードに移行する。
【００１２】
文字入力モードにおいては、コントローラ４は、タッチパネル１４により操作者による１点目の接触の接触位置が検出されたか否かを判定する（ステップＳ１）。ここで、例えば操作者の人差し指がタッチパネル１４に接触すると、コントローラ４は、タッチパネル１４により検出された１点目の接触の接触位置の情報を取得し、その位置に表示する第１グループの入力候補である文字の一覧を含む映像情報を生成する（ステップＳ２）。即ち、ひらがなの５０音表における子音文字「あかさたなはまやらわ」を縦に並べて表示する文字の一覧を含む映像情報を生成し、図３に示すように文字一覧３０をＬＣＤ表示部６に表示する（ステップＳ３）。なお、映像情報は、文字一覧３０が１点目の接触の接触位置に対応した位置に配置されるように生成される。
【００１３】
この状態において、タッチパネル１４により１点目の接触の接触位置が文字一覧３０の「さ」に移動したことが検出された場合には、文字一覧３０の「さ」に対してカーソル３２を表示する映像情報を生成し、入力対象として文字一覧３０の「さ」が選択されている映像をＬＣＤ表示部６に表示する。
【００１４】
また、図４に示すように、操作者により１点目の接触の接触位置が文字一覧３０の文字の並び方向に移動され、タッチパネル１４により１点目の接触の接触位置が文字一覧３０の「さ」から「た」に移動したことが検出された場合には、入力対象として選択されている文字を「さ」から「た」に変更した映像情報を生成し、入力対象として文字一覧３０の「た」が選択されている映像をＬＣＤ表示部６に表示する。
【００１５】
次に、タッチパネル１４により操作者による２点目の接触の接触位置が検出されたか否かを判定する（ステップＳ４）。例えば図５に示すように、ＬＣＤ表示部６に対して操作者の中指が人差し指の右側の位置に接触すると、コントローラ４は、タッチパネル１４により検出された２点目の接触の接触位置の情報を取得し（ステップＳ４、Ｙｅｓ）、その位置に表示する第２グループの入力候補である文字の一覧を含む映像情報を生成する（ステップＳ５）。即ち、入力対象として選択されている文字一覧３０の「た」に従属する「た行」の母音文字「たちつてと」を、縦に並べて表示する文字の一覧を含む映像情報を生成し、図５に示すように文字一覧３４をＬＣＤ表示部６に表示する（ステップＳ６）。なお、映像情報は、文字一覧３４が２点目の接触の接触位置に対応した位置に配置されるように生成される。ここで、文字一覧３０の入力候補及び文字一覧３４の入力候補が指の関節の可動方向である縦方向に配列され、かつ入力候補の縦方向の配列の長さ（：〜約５０mm）がＰＤＡ２に対する手首の位置が動かない状態で指の関節の動きだけで選択可能な範囲となっているので、操作者は、効率よく入力操作を行うことができる。また、文字一覧３０の入力候補の配列の中心軸と文字一覧３４の入力候補の配列の中心軸との距離が隣り合った指の関節の動く範囲で選択可能に、配列の中心軸の距離（：約１０mm〜４０mm）で文字一覧３０及び文字一覧３４が配置されているので、操作者は、人差し指で文字一覧３０の入力候補に接触しながら、中指で文字一覧３４の入力候補を同時に選択することができる。
【００１６】
この状態において、タッチパネル１４により２点目の接触の接触位置が文字一覧３４の「て」に移動したことが検出された場合には、文字一覧３４の「て」に対してカーソル３６を表示する映像情報を生成し、入力対象として文字一覧３４の「て」が選択されている映像をＬＣＤ表示部６に表示する。
【００１７】
また、図６に示すように、操作者により２点目の接触の接触位置が文字一覧３４の文字の並び方向に移動され、タッチパネル１４により２点目の接触の接触位置が文字一覧３４の「て」から「と」に移動したことが検出された場合には、入力対象として選択されている文字を「て」から「と」に変更した映像情報を生成し、入力対象として文字の一覧３４の「と」が選択されている映像をＬＣＤ表示部６に表示する。
【００１８】
次に、コントローラ４は、タッチパネル１４により１点目及び２点目の接触の接触位置が検出されなくなったか否かを判定する（ステップＳ７）。操作者の人差し指及び中指が共にＬＣＤ表示部６から離れた場合、即ちタッチパネル１４により１点目及び２点目の接触が共に検出されなくなった場合には（ステップＳ７、Ｙｅｓ）、計測部により１点目及び２点目の接触が検出されなくなってからの時間を計測する（ステップＳ８）。そして、計測部により所定時間が計測された場合には（ステップＳ９）、１点目及び２点目の接触の接触位置により選択されていた文字を入力文字として確定する（ステップＳ１０）。即ち、図６に示す場合には、文字一覧３４において選択されている「と」が入力文字として確定され、確定された文字「と」の入力処理を行いＬＣＤ表示部６に表示する（ステップＳ１１）。なお、入力文字が確定された際には、確定を報知するための音声をスピーカ２２から出力する。
【００１９】
ステップＳ４において、コントローラ４がタッチパネル１４により２点目の接触が検出されていないと判定した場合には（ステップＳ４、Ｎｏ）、タッチパネル１４により１点目の接触が検出されなくなったか否かを判定する（ステップＳ１２）。この状態において、操作者の人差し指がＬＣＤ表示部６から離れた場合には、コントローラ４は１点目の接触が検出されなくなったと判定し（ステップＳ１２、Ｙｅｓ）、文字入力処理を中止する。一方、操作者の人差し指がＬＣＤ表示部６に接触している場合には（ステップＳ１２、Ｎｏ）、ステップＳ４に戻り再度ステップＳ４の処理を行う。
【００２０】
本発明の第１の実施の形態に係る入力装置によれば、タッチパネルに対する操作者の複数の指による一度の入力操作により、直感的に入力文字の選択、入力文字の確定及び文字の入力処理を中止することができる。従って、入力対象の入力を行う際に効率良く入力操作を行うことができる。
【００２１】
なお、第１の実施の形態のステップＳ７の処理において、コントローラ４がタッチパネル１４により１点目または２点目の接触が検出されなくなったと判定した場合には、ステップＳ６において表示される映像を表示し続けてもよい。即ち、操作者の人差し指または中指がＬＣＤ表示部６から離れた場合でも、文字一覧３０及び文字一覧３４を含む映像をＬＣＤ表示部６に表示し続けるようにしてもよい。
【００２２】
この場合において、一方の接触の接触位置が検出されなくなった状態において、更に他方の接触が検出されなくなった場合に、文字の入力処理を中止するようにしてもよい。これにより、操作者がＬＣＤ表示部６から人差し指、中指の順または逆の順に指を離すことで、文字の入力処理を中止することができる。
【００２３】
また、第１の実施の形態において、操作者による切替ボタンの操作により入力文字の種類を「かな入力」から「カナ入力」、「アルファベット」、「数字」等の他の種類に切替えてもよい。例えば、入力文字の種類が「アルファベット」に切替えられアルファベットを入力する場合には、３〜４文字毎にグループ分けされたアルファベットの各グループの代表の文字を示す「ａｄｇｊｍｐｔｗ」が、上述の文字一覧３０として表示される。ここで、３〜４文字毎にグループ分けされたアルファベットは、「ａｂｃ」、「ｄｅｆ」、「ｇｈｉ」、「ｊｋｌ」、「ｍｎｏ」、「ｐｑｒｓ」、「ｔｕｖ」、「ｗｘｙｚ」である。ここで、「ａｄｇｊｍｐｔｗ」の「ａ」が入力対象として選択された場合には、「ａ」を代表の文字とするグループの文字を示す「ａｂｃ」が、上述の文字一覧３４として表示される。
【００２４】
また、第１の実施の形態において、タッチパネル１４により３点目の接触の接触位置が検出された場合に入力文字の種類を切替えるようにしてもよい。例えば図６に示すように、操作者により文字一覧３４の「と」が入力対象として選択されている映像がＬＣＤ表示部６に表示されている状態において、操作者の薬指がＬＣＤ表示部６に接触して、タッチパネル１４により３点目の接触位置が検出された場合には、図７に示すように入力文字の種類を「かな入力」から「カナ入力」に切替える。
【００２５】
また、第１の実施の形態において、タッチパネル１４により３点目の接触が検出された場合に入力文字を確定するようにしてもよい。例えば図７に示すように、操作者により入力対象として文字一覧３４の「ト」が選択されている映像がＬＣＤ表示部６に表示されている状態において、操作者の薬指がＬＣＤ表示部６に接触しタッチパネル１４により３点目の接触が検出された場合には、「ト」を入力文字として確定するようにしてもよい。
【００２６】
また、第１の実施の形態において、タッチパネル１４により３点目の接触が検出された場合に、入力対象として選択されている文字に関連する単語一覧を含む映像情報を生成してもよい。例えば図７に示すように、操作者により入力対象として文字一覧３４の「ト」が選択されている映像がＬＣＤ表示部６に表示されている状態において、操作者の薬指がＬＣＤ表示部６に接触しタッチパネル１４により３点目の接触が検出された場合には、「ト」に関連する単語一覧（第３の一覧）を含む映像情報を生成し、第３の一覧の映像をＬＣＤ表示部６に表示する。例えば「ト」に関連する単語として、「投影」、「都心」、「撮る」、「取る」等が第３の一覧に表示される。ここで、３点目の接触により表示される第３の一覧についても、第３の一覧が文字一覧３４の入力候補の配列の中心軸と第３の一覧の配列の中心軸との距離が隣り合った指の関節の動く範囲で選択可能に、配列の中心軸の距離（：約１５mm〜３５mm）に配置されているので、操作者は、中指で文字一覧３４の入力候補に接触しながら、あるいは、人差し指で文字一覧３０の入力候補に接触しかつ中指で文字一覧３４の入力候補に接触しながら、薬指で第３の一覧の入力候補を選択することができる。この状態において、操作者により３点目の接触の接触位置が第３の一覧の「投影」に移動され、操作者の人差し指、中指及び薬指が共にＬＣＤ表示部６から離れた場合には、タッチパネル１４により１点目、２点目及び３点目の接触が検出されなくなるため、入力対象として選択されている第３の一覧の「投影」を入力文字として確定する。
【００２７】
また、第１の実施の形態において、操作者が中指、人差し指の順でＬＣＤ表示部６を触れることにより入力対象の文字を選択してもよい。この場合には、操作者の中指がＬＣＤ表示部６に接触して、タッチパネル１４により１点目の接触が検出された場合に、文字一覧３０を含む映像情報を生成し、図８に示すように映像をＬＣＤ表示部６に表示する。ここで、映像情報は、文字一覧３０が１点目の接触の接触位置である中指が接触した位置に配置されるように生成される。また、操作者により入力対象として文字一覧３０の「た」が選択されている状態において、操作者の人差し指が中指の左側においてＬＣＤ表示部６に接触して、タッチパネル１４により２点目の接触が検出された場合に、図９に示すように文字一覧３４をＬＣＤ表示部６に表示する。ここで、映像情報は、文字一覧３４が２点目の接触の接触位置に対応した位置に配置されるように生成される。
【００２８】
また、第１の実施の形態において、図８に示すように操作者により入力対象として文字一覧３０の「た」が選択されている状態において、操作者の人差し指が中指の左側においてＬＣＤ表示部６に接触して、タッチパネル１４により２点目の接触が検出された場合には、１点目の接触の接触位置に対応した位置に文字一覧３４を、２点目の接触の接触位置に対応した位置に文字一覧３０を配置した映像を生成してもよい。この場合には、図１０に示すように１点目（中指）の接触の接触位置に対応した位置に文字一覧３４を、２点目（人差し指）の接触の接触位置に対応した位置に文字一覧３０を配置した映像をＬＣＤ表示部６に表示する。
【００２９】
また、第１の実施の形態において、操作者の指がＬＣＤ表示部６に接触して、タッチパネル１４により１点目の接触が検出された場合に、文字一覧３０及び文字一覧３４を含む映像情報を生成し、文字一覧３０及び文字一覧３４をＬＣＤ表示部６に表示してもよい。
【００３０】
また、第１の実施の形態において、文字一覧３０及び文字一覧３４の文字は縦に並べて表示するように映像情報を生成しているが、横に並べて表示するように映像情報を生成してもよい。
【００３１】
また、第１の実施の形態において、３点目の接触により２点目の接触による入力候補に関連する映像情報が生成される形態では、操作者により入力対象として文字一覧３４から文字が選択されている場合に、３点目の接触位置に対応した位置に文字一覧「投影」、「都心」、「撮る」「取る」を配置した映像を生成してもよい。
【００３２】
また、第１の実施の形態において、文字一覧３０と文字一覧３４との文字の並び方が同一となるように映像情報を生成しているが、異なるように映像情報を生成してもよい。具体的には、文字一覧３０の文字が縦に並べて表示されるように映像情報を生成する場合には、文字一覧３４の文字が横に並べて表示されるように映像情報を生成する。また、文字一覧３０の文字が横に並べて表示されるように映像情報を生成する場合には、文字一覧３４の文字が縦に並べて表示されるように映像情報を生成する。
【００３３】
ここで、文字一覧３０において文字が横に並べられ、文字一覧３４において文字が縦に並べられている状態において、操作者の薬指がＬＣＤ表示部６に接触して、タッチパネル１４により３点目の接触が検出された場合には、文字一覧３４の文字に関連する単語が縦に並べられた第３の一覧を含む映像情報を生成し、第３の一覧をＬＣＤ表示部６に表示する。ここで、映像情報は、第３の一覧が３点目の接触位置に対応した位置に配置されるように生成される。また、第３の一覧に示される各単語は、文字一覧３４の入力候補の配列の中心軸と平行である第３の一覧の配置軸上に各単語の先頭文字が位置するように縦に並べられる。また、文字一覧３４の中心軸と第３の一覧の配置軸との距離が隣り合った指の間接の動く範囲で選択可能に、文字一覧３４の中心軸と第３の一覧の配置軸の距離（：１５ｍｍ〜３５ｍｍ）で文字一覧３４及び第３の一覧が配置される。そのため、操作者は、中指で文字一覧３４の入力候補に接触しながら、あるいは、人差し指で文字一覧３０の入力候補に接触しかつ中指で文字一覧３４の入力候補に接触しながら、薬指で第３の一覧の入力候補を選択することができる。
【００３４】
また、第１の実施の形態において、ＰＤＡ２は、映像を表示する表示部を備える外部装置（例えば、テレビ、ＰＣ等）に対して、映像情報を出力する映像情報出力部を備えてもよい。この場合には、コントローラ４は映像情報を生成すると、映像情報出力部により外部装置に対して映像情報を出力する。外部装置は、映像情報出力部から出力された映像情報を受信すると、受信した映像情報に基づく映像を表示部に表示する。即ち、外部装置の表示部には、上述のＬＣＤ表示部６に表示される文字の入力処理に関する映像が表示される。これにより、操作者が外部装置の表示部に表示されている映像を視認しながら、タッチパネル１４を用いて上述のタッチパネル１４に対する接触操作を行うことにより文字の入力処理を行うことができる。
【００３５】
また、第１の実施の形態において、表示される入力候補の配列の位置、間隔及び配列の幅は、操作者により設定が可能である。初期設定画面で操作者が入力候補表示枠の長さと枠同士の距離を任意の値に設定できるようにしてもよい。また、操作者の年齢、性別、利き腕等の情報に基づいて、間隔及び幅を設定してもよいし、タッチパネル１４に操作者の手の大きさを認識できる認識手段を備え、認識結果から間隔及び幅を設定するよう構成してもよい。
【００３６】
また、第１の実施の形態においては、タッチパネル１４に対する操作者の接触操作を行うことにより文字の入力処理を行っているが、文字に限定せず画像、音声、音楽等の入力処理を行うようにしてもよい。この場合には、メニュー画面に表示される「文字入力モードボタン」、「画像入力モードボタン」、「音声入力モードボタン」、「音楽入力モードボタン」等の中から、タッチパネル１４に対する操作者の接触操作により入力モードが選択される。
【００３７】
画像入力モードにおいて画像の入力を行う場合には、撮影の日付けでグループ分けされた各グループの代表の画像をサムネイル表示した画像一覧が、第１グループの入力対象として表示される。また、画像一覧の中から入力対象の画像が選択された場合には、選択された画像を代表の画像とする第２グループの画像をサムネイル表示した画像一覧が、第２グループの入力対象として表示される。従って、操作者は文字入力の場合と同様の操作で画像入力を行うことができる。更に音声、音楽等についても同様の入力操作により入力を行うことができる。
【００３８】
次に、図面を参照して本発明の第２の実施の形態に係る入力装置についてＨＭＤ（Ｈｅａｄ  Ｍｏｕｎｔｅｄ  Ｄｉｓｐｌａｙ）を例に説明する。図１１は、第２の実施の形態に係るＨＭＤの外観を示す斜視図である。図１１に示すように、ＨＭＤ４０は二つの音声出力部４４、４６を有し、これらは連結部４８で結合されている。音声出力部４４、４６にはそれぞれスピーカ６２、６４（図１２参照）が収納されている。音声出力部４６の外側の略中央には図示しない回転軸を介して支持アーム５０が取り付けられ、支持アーム５０の先端部には使用者の片眼に映像を入力することによって、映像を使用者に提供する表示部５２が取り付けられている。また、音声出力部４４の外側には、表示部５２に表示された情報に対する入力操作を検出するタッチパネル５６が設けられている。また、音声出力部４４の側面には、入力文字の種類を切替える切替ボタン５８が設けられている。なお、タッチパネル５６は、操作者による少なくとも２点の接触の接触位置を同時に検出することが可能に構成されている。
【００３９】
図１２は、第２の実施の形態に係るＨＭＤ４０のシステム構成を示すブロック図である。図１２に示すように、ＨＭＤ４０はコントローラ６０を備え、コントローラ６０には、タッチパネル５６、切替ボタン５８、スピーカ６２，６４、ＬＣＤ表示部６６に表示する映像情報を一時的に記憶するメモリ６８、フラッシュメモリ７０、表示部５２に設けられたＬＣＤ表示部６６の駆動を行うＬＣＤドライバ７２、表示部５２の内部に設けられたバックライト８０の制御を行うバックライトドライバ８２が接続されている。表示部５２の内部においては、画像や映像等の映像情報を電気的に表示するＬＣＤ表示部６６の背面にバックライト８０が配置され、バックライト８０から射出された照明光を用いてＬＣＤ表示部６６を照明する。ＬＣＤ表示部６６に表示された映像はミラー８０により反射された後、接眼レンズ８２によりサイズが変更され操作者の眼に入力される。
【００４０】
次に第２の実施の形態に係るＨＭＤ４０の文字入力処理について説明する。操作者の頭部にＨＭＤ４０が装着され図示しない電源スイッチをオンにするとコントローラ６０が起動し、表示部５２のＬＣＤ表示部６６に表示した映像を使用者の片眼に入力することによって映像を使用者に提供する。この状態において、操作者が表示部５２に表示されている映像を視認しながら、タッチパネル５６に対する接触操作を行うことにより文字の入力処理を行う。即ち、タッチパネル５６に対する接触操作を行うことにより、コントローラ６０は、第１の実施の形態に係るＰＤＡ２の文字入力処理（図２参照）と同様の文字入力処理を行う。
【００４１】
本発明の第２の実施の形態に係る入力装置によれば、タッチパネルに対する操作者の複数の指による一度の入力操作により、直感的に入力文字の選択、入力文字の確定及び文字の入力処理を中止することができる。従って、入力対象の入力を行う際に効率良く入力操作を行うことができる。
【符号の説明】
【００４２】
２…ＰＤＡ、４…コントローラ、６…ＬＣＤ表示部、１４…タッチパネル、２２…スピーカ、３０，３４…文字一覧、４０…ＨＭＤ、５２…表示部、５６…タッチパネル。
【図１】
0005477203.tif 000002
【図２】
0005477203.tif 000003
【図３】
0005477203.tif 000004
【図４】
0005477203.tif 000005
【図５】
0005477203.tif 000006
【図６】
0005477203.tif 000007
【図７】
0005477203.tif 000008
【図８】
0005477203.tif 000009
【図９】
0005477203.tif 000010
【図１０】
0005477203.tif 000011
【図１１】
0005477203.tif 000012
【図１２】
0005477203.tif 000013